(57)【要約】【課題】  この考案は幅広仏壇の膨出側部の内面に構造が簡単で安価であり、振動を受けても落下する事が無く、且つ、より多くの飾りや仏具が安置可能で、荘厳な雰囲気を与えることが出来る補助棚付幅広仏壇を開発・提供する事にある。【解決手段】  この課題を解決するための手段として、幅広仏壇の左右膨出側部の内側に、該膨出側部と着脱可能な補助棚をそれぞれ嵌着して設けたものである。又、左右膨出側部の内面前後方向に、補助棚を支持するための支持部材をそれぞれ設け、且つ、左右膨出側部の前面幅板の内面と、棚上段縦板の内面に補助棚挿着用の溝部をそれぞれ設け、且つ、棚上段縦板内面側の溝部に抜け出し防止用の板バネをそれぞれ螺着して設けたものである。【選択図】  図２
0003163177.tif 000002
【実用新案登録請求の範囲】
【請求項１】
仏壇本体の左右両側面に膨出側部をそれぞれ設けた幅広仏壇において、該幅広仏壇（１）の左右膨出側部（２）（２）の内側に、該膨出側部（２）と着脱可能な補助棚（３）（３）をそれぞれ嵌着して設けたことを特徴とする補助棚付幅広仏壇。
【請求項２】
左右膨出側部（２）（２）の内面前後方向に、補助棚（３）を支持するための支持部材（３ａ）（３ａ）をそれぞれ設け、且つ、左右膨出側部（２）（２）の前面幅板（２ａ）の内面と、棚上段縦板（１ａ）の内面に補助棚挿着用の溝部（１ａ'） （２ａ'）をそれぞれ設け、且つ、前面幅板内面側の溝部（２ａ'）に抜け出し防止用の板バネ（ＳＰ）をそれぞれ螺着して設けたことを特徴とする請求項１記載の補助棚付幅広仏壇。
【考案の詳細な説明】
【技術分野】
【０００１】
この考案は、補助棚付幅広仏壇に関するものである。
【背景技術】
【０００２】
従来、一般に市販されている仏壇は、前面の扉（Ｘ）は、中央より左右に、大抵は二枚、又、それ以上の枚数の扉を、それぞれ折り畳んで、左及び右方向にそれぞれ開いておき、仏壇内部を開口するものであって、従って、扉によって仏壇の左右両側面の部分は、前方からは見えないものであった。
【０００３】
又、特に戸幅の狭いサイズの仏壇においては、妻板、即ち、左右両側面の板によって、内部の飾り面積が狭くなり、厚みのある額や、吊り灯篭等は飾ることが出来なかった。
【０００４】
そこで、上記問題を解消するために考案され出願したのが、実願２０００−００７２５５（登録実用新案第３０７６８８６号）である。この考案は、扉を開いた際、デッドスペースとなる側面を、外側に向けて拡げるよう構成することにより、仏壇内部の容積の拡大を図ることにより、より多くの飾り付けが出来、且つ、荘厳な雰囲気を与えるものであった。しかし、この仏壇の膨出側部の内面に設けた補助棚には固定用の金具が使用されてなく、振動等の影響で外れて落下する危険性があった。
【０００５】
その為、補助棚が振動等で落下しないよう、更なる改善を加えた新たな補助棚付幅広仏壇の早期開発が望まれている。
【先行技術文献】
【特許文献】
【０００６】
これまでに出願されている仏壇に関する特許文献を参考の為、紹介する（特許文献1〜２参照）。
【特許文献１】登録実用新案第３０２２１０２号
【特許文献２】登録実用新案第３０７６８８６号
【考案の概要】
【考案が解決しようとする課題】
【０００７】
そこで、上記課題を解決する為に、この考案は幅広仏壇の膨出側部の内面に構造が簡単で安価であり、振動を受けても落下する事が無く、且つ、より多くの飾りや仏具が安置可能で、荘厳な雰囲気を与えることが出来る補助棚付幅広仏壇を開発・提供する事にある。
【課題を解決するための手段】
【０００８】
この課題を解決するための手段として、幅広仏壇の左右膨出側部の内側に、該膨出側部と着脱可能な補助棚をそれぞれ嵌着して設けたものである。
【０００９】
又、左右膨出側部の内面前後方向に、補助棚を支持するための支持部材をそれぞれ設け、且つ、左右膨出側部の前面幅板の内面と、棚上段縦板の内面に補助棚挿着用の溝部をそれぞれ設け、且つ、前面幅板内面側の溝部に抜け出し防止用の板バネをそれぞれ螺着して設けたものである。
【考案の効果】
【００１０】
この考案の効果として、幅広仏壇の左右膨出側部の内側に、該膨出側部と着脱可能な補助棚をそれぞれ嵌着して設け、又、左右膨出側部の内面前後方向に、補助棚を支持するための支持部材をそれぞれ設け、且つ、左右膨出側部の前面幅板の内面と、棚上段縦板の内面に補助棚挿着用の溝部をそれぞれ設け、且つ、前面幅板内面側の溝部に抜け出し防止用の板バネをそれぞれ螺着して設けた事で、振動を受けても落下する事が無く、且つ、より多くの飾りや仏具が安置可能で、荘厳な雰囲気を与えることが出来、且つ、構造が簡単で安価である等、極めて有益なる効果を奏するものである。
【図面の簡単な説明】
【００１１】
【図１】この考案の一実施例を示し、斜視図である。
【図２】この考案の一実施例を示し、（Ａ）は平面視一部欠截断面図で、（Ｂ）は図２（Ａ）のａ部拡大詳細図で、（Ｃ）は図２（Ａ）のｂ部拡大詳細図である。
【図３】この考案の一実施例を示し、図２（Ａ）のｂ−ｂ矢視断面図である。
【図４】この考案の一実施例を示し、（Ａ）は図３のａ部拡大詳細図で、（Ｂ）は図３のｂ部拡大詳細図で、（Ｃ）は図３のｃ−ｃ矢視拡大断面図である。
【図５】この考案の使用例を示し、補助棚へ位牌を安置した時の斜視図である。
【考案を実施するための形態】
【００１２】
この考案を実施するための形態として、仏壇本体の左右両側面に膨出側部をそれぞれ設けた幅広仏壇において、該幅広仏壇（１）の左右膨出側部（２）（２）の内側に、該膨出側部（２）と着脱可能な補助棚（３）（３）をそれぞれ嵌着して設けたことを特徴とする補助棚付幅広仏壇から構成される。
【００１３】
又、左右膨出側部（２）（２）の内面前後方向に、補助棚（３）を支持するための支持部材（３ａ）（３ａ）をそれぞれ設け、且つ、左右膨出側部（２）（２）の前面幅板（２ａ）の内面と、棚上段縦板（１ａ）の内面に補助棚挿着用の溝部（１ａ'）（２ａ'）をそれぞれ設け、且つ、前面幅板内面側の溝部（２ａ'）に抜け出し防止用の板バネ（ＳＰ）をそれぞれ螺着して設けたことを特徴とする補助棚付幅広仏壇から構成される。
【実施例１】
【００１４】
そこで、この考案の一実施例を図１〜図４に基づいて詳述すると、図１は本考案の補助棚（３）の取付状態を示す、一部欠截斜視図を示す。
【００１５】
又、図２（Ａ）は平面視一部欠截断面図を示し、幅広仏壇（１）の左右膨出側部（２）に、着脱可能な補助棚（３）（３）をそれぞれ嵌着して設けている。又、図２（Ｂ）は図２（Ａ）のａ部拡大詳細図で、図で示すように棚上段縦板（１ａ）側の溝幅は、美観を良くする為に、溝幅を縮小するため補助棚（３）の端部を約１／２程度の幅の切り欠きを設けている。その為、その突出部の寸法幅に適合した溝幅に形成している。更に、図２（Ｃ）は図２（Ａ）のｂ部拡大詳細図で、左右前面幅板（２ａ）内面側の溝部（２ａ'）には、補助棚（３）の落下防止用の板バネ（ＳＰ）を皿ビス（Ｂ）・ナット（Ｎ）等の係止部材で係止して設けている。
【００１６】
そして、前記の左右補助棚（３）下部には、図３及び図４（Ｃ）に示すように、膨出側部（２）の内面前後方向に、補助棚（３）を支持するための支持部材（３ａ）をそれぞれ設け、且つ、左右幅板（２ａ）の内面及び左右棚上段縦板（１ａ）の内面に、図４（Ａ）（Ｂ）に示すように、補助棚（３）を嵌挿するための溝部（１ａ'）（２ａ'）をそれぞれ設け、更に、前記左右前面幅板（２ａ）内面側の溝部（２ａ'）には、図２（Ｃ）に示すように、補助棚（３）の落下防止用の板バネ（ＳＰ）を皿ビス（Ｂ）・ナット（Ｎ）等の係止部材で係止して設けている。
【００１７】
又、図３は、図２（Ａ）のｂ−ｂ矢視断面図を示す。
【００１８】
又、図４（Ａ）は、図３のａ部拡大詳細図で、図４（Ｂ）は図３のｂ部拡大詳細図で、図４（Ｃ）は図３のｃ−ｃ矢視拡大断面図である。
【００１９】
次に、この考案の使用状態を示す斜視図で、左側補助棚（３）部に位牌を安置した一例を示すもので、位牌に限らず、仏像や仏具や過去帳等、飾りものを状況に合わせて安置することが出来る。
【産業上の利用可能性】
【００２０】
この考案の補助棚付幅広仏壇は、構造が簡単で安価であり、振動を受けても落下する事が無く、且つ、より多くの飾りや仏具が安置可能で、荘厳な雰囲気を与えることが出来る為、多くの仏壇製造・販売関係市場に寄与する点で、産業上の利用可能性を有する。
【符号の説明】
【００２１】
１  幅広仏壇
１ａ  棚上段縦板
１ａ'  溝部（棚上段縦板側）
２  膨出側部
２ａ  幅板
２ａ'  溝部（幅板側）
３  補助棚
３ａ  支持部材
Ｂ  皿ビス等の係止部材
ＢＵ  位牌
Ｎ  ナット等の係止部材
ＳＰ  板バネ
Ｘ  開閉扉
【図１】
0003163177.tif 000003
【図２】
0003163177.tif 000004
【図３】
0003163177.tif 000005
【図４】
0003163177.tif 000006
【図５】
0003163177.tif 000007